(57)【要約】【課題】開閉扉を有し、雨水の浸入を完全に抑止できる筐体の防水構造を提供する。【解決手段】回転可能に支持された扉４により筐体本体１の開口部２が開閉され、該開口部の周囲に突条５が形成され、前記扉の内面に前記突条に押圧されるシール材７が設けられ、前記筐体本体の扉支持部を除く前記開口部の周囲に外シール材１４が設けられ、前記扉に扉支持部に沿って内シール材１５が設けられ、前記扉が閉じられた状態で、前記突条は前記シール材に密着し、前記扉支持部を除く前記扉の枠縁が前記外シール材に密着し、前記内シール材が前記筐体本体に密着する。【選択図】　　　　図１
2004063785.tif 000002
【特許請求の範囲】
【請求項１】
回転可能に支持された扉により筐体本体の開口部が開閉され、該開口部の周囲に突条が形成され、前記扉の内面に前記突条に押圧されるシール材が設けられ、前記筐体本体の扉支持部を除く前記開口部の周囲に外シール材が設けられ、前記扉に扉支持部に沿って内シール材が設けられ、前記扉が閉じられた状態で、前記突条は前記シール材に密着し、前記扉支持部を除く前記扉の枠縁が前記外シール材に密着し、前記内シール材が前記筐体本体に密着する様にしたことを特徴とする筐体の防水構造。
【請求項２】
前記筐体本体に前記内シール材に押圧される第２の突条を前記扉支持部に沿って設けた請求項１の筐体の防水構造。
【請求項３】
前記筐体本体に前記扉支持部に沿って段差部を形成し、該段差部に前記内シール材が嵌合する様にした請求項１の筐体の防水構造。
【発明の詳細な説明】
【０００１】
【発明の属する技術分野】
本発明は屋外設置用の筐体防水構造、特にメンテナンス用の扉を具備する開閉扉を有する筐体の防水構造に関するものである。
【０００２】
【従来の技術】
野外に設置される電子機器の筐体では、収納した電子機器が雨水により機能を損われない様防水構造となっている。又、メンテナンス用の扉を具備する場合、扉と筐体本体とは防水構造となっている。
【０００３】
図７〜図１０により、従来の筐体の防水構造について説明する。
【０００４】
図中、１は筐体本体、該筐体本体１には電子機器３が収納されている。前記筐体本体１には開口部２が設けられ、該開口部２の周囲には連続した突条５が形成されている。前記筐体本体１には蝶番６を介して扉４が開閉可能に設けられ、前記開口部２は前記扉４により開閉可能となっている。
【０００５】
前記扉４の内面には前記突条５に当接可能な環状のシール材７が設けられ、又前記蝶番６の反対側には鍵８が設けられている。尚、図中９は前記扉４の開放時に該扉４と筐体本体１との干渉を防止する凹部である。
【０００６】
前記扉４を閉じ前記鍵８により前記扉４を前記筐体本体１に固定すると、前記突条５は前記シール材７に当接し、更に所要量該シール材７を弾性変形させ、該シール材７に食込んだ状態となる。
【０００７】
前記扉４を閉じた状態では、前記突条５が前記シール材７に食込んで密着しており、雨水の浸入は前記突条５とシール材７間で抑止される。
【０００８】
【発明が解決しようとする課題】
上記した従来の筐体の防水構造では、図１０に見られる様に、前記扉４と筐体本体１間で間隙１１が生じるのは構造上避けられない。この為、該間隙１１から雨水が浸入し、前記突条５の上側に水滴１２が溜ってしまう。該水滴１２が溜った部分は腐食し易く、又該水滴１２は前記扉４の開閉時に前記筐体本体１の内部に入込む可能性があった。
【０００９】
尚、前記間隙１１から雨水が浸入しない様に段差部を形成することも考えられるが、前記扉４が開閉を伴う以上隙間を完全には無くすことはできず、程度の差はあるが、やはり雨水が入込む可能性があった。
【００１０】
本発明は斯かる実情に鑑み、雨水の浸入を完全に抑止できる筐体の防水構造を提供するものである。
【００１１】
【課題を解決するための手段】
本発明は、回転可能に支持された扉により筐体本体の開口部が開閉され、該開口部の周囲に突条が形成され、前記扉の内面に前記突条に押圧されるシール材が設けられ、前記筐体本体の扉支持部を除く前記開口部の周囲に外シール材が設けられ、前記扉に扉支持部に沿って内シール材が設けられ、前記扉が閉じられた状態で、前記突条は前記シール材に密着し、前記扉支持部を除く前記扉の枠縁が前記外シール材に密着し、前記内シール材が前記筐体本体に密着する様にした筐体の防水構造に係り、又前記筐体本体に前記内シール材に押圧される第２の突条を前記扉支持部に沿って設けた筐体の防水構造に係り、更に又前記筐体本体に前記扉支持部に沿って段差部を形成し、該段差部に前記内シール材が嵌合する様にした筐体の防水構造に係るものである。
【００１２】
【発明の実施の形態】
以下、図面を参照しつつ本発明の実施の形態を説明する。
【００１３】
図１〜図４中、図７〜図９中で示したものと同等のものには同符号を付してある。
【００１４】
筐体本体１には開口部２が設けられ、該開口部２の周囲には連続した突条５が矩形環状に形成されている。前記突条５の一側辺（図１中では右側辺）と平行に凹部９が凹設され、又、前記開口部２の上下両辺及び左側辺と平行に外シール材１４がコの字状に前記開口部２を囲む様に前記筐体本体１に埋設されている。尚、前記外シール材１４は前記筐体本体１の正面に貼設してもよい。
【００１５】
前記筐体本体１には蝶番６を介して扉４が開閉可能に設けられ、前記蝶番６は前記扉４の右内側面と前記筐体本体１の正面とに掛渡って取付けられている。
【００１６】
前記扉４の内面には前記突条５と密着する矩形環状のシール材７が固着され、該シール材７には前記蝶番６側の端縁に棒状の内シール材１５が固着されている。
【００１７】
前記扉４を閉じ前記鍵８により前記扉４を前記筐体本体１に固定すると、前記突条５は前記シール材７に当接し、更に所要量該シール材７を弾性変形させ、該シール材７に食込んだ状態となる。又、前記扉４の上縁、左側縁、下縁は前記外シール材１４に密着する。更に、前記内シール材１５は圧縮された状態で前記筐体本体１の正面に密着する。又、前記内シール材１５の上端部、下端部は前記外シール材１４に重なっている。
【００１８】
而して、前記扉４は前記外シール材１４と前記内シール材１５を介して前記筐体本体１に密着し、前記開口部２は前記扉４により閉塞されると共に液密にシールされ、更に、前記扉４の上縁、左側縁、下縁と前記外シール材１４との密着、又前記内シール材１５と筐体本体１正面との密着により、該筐体本体１と扉４との隙間が完全に無くなる。又、前記シール材７のシール面と前記内シール材１５のシール面の高さ位置が異なることで、シール時の前記シール材７と内シール材１５の変形の影響を相互に受け難くなり、個々のシール性が向上する。
【００１９】
従って、従来の様に前記突条５の上側に水滴１２が溜ることがなく、前記扉４の開閉時に前記筐体本体１の内部に雨水が入込むことが完全に防止され、雨水の溜る部分も無くなる。
【００２０】
図５により第２の実施の形態について説明する。
【００２１】
蝶番６は扉４の右外側面と凹部９の左壁面とに掛渡って取付けられている。
【００２２】
該第２の実施の形態では、上記実施の形態に更に突条５の右側辺（蝶番６側）に沿って高さの異なる第２の突条１７を形成したものである。
【００２３】
前記扉４を閉じた状態で、前記突条１７が内シール材１５に食込むことで、前記蝶番６側のシールが一層確実となる。尚、前記扉４の上縁、左側縁、下縁が前記外シール材１４と密着することは、上記実施の形態と同様である。又、第２の実施の形態に於いても、前記シール材７のシール面と前記内シール材１５のシール面の高さ位置が異なることで、シール時の前記シール材７と内シール材１５の変形の影響を相互に受け難くなり、個々のシール性が向上する。
【００２４】
図６により第３の実施の形態について説明する。
【００２５】
蝶番６は扉４の右外側面と凹部９の左壁面とに掛渡って取付けられている。
【００２６】
該第３の実施の形態では、突条５の右側辺（蝶番６側）に沿って断面台形の段差部１９を形成し、内シール材１５の断面形状を前記段差部１９に嵌合する断面形状としたものである。
【００２７】
前記扉４を閉じた状態で、前記内シール材１５が前記段差部１９に嵌合し、更に前記内シール材１５は圧縮変形され、圧入状態となる。而して、前記開口部２は前記突条５とシール材７により液密にシールされ、更に、前記扉４の上縁、左側縁、下縁と前記外シール材１４との密着、又前記内シール材１５と前記段差部１９との密着により、筐体本体１と扉４との隙間が完全に無くなる。
【００２８】
【発明の効果】
以上述べた如く本発明によれば、回転可能に支持された扉により筐体本体の開口部が開閉され、該開口部の周囲に突条が形成され、前記扉の内面に前記突条に押圧されるシール材が設けられ、前記筐体本体の扉支持部を除く前記開口部の周囲に外シール材が設けられ、前記扉に扉支持部に沿って内シール材が設けられ、前記扉が閉じられた状態で、前記突条は前記シール材に密着し、前記扉支持部を除く前記扉の枠縁が前記外シール材に密着し、前記内シール材が前記筐体本体に密着する様にしたので、扉と筐体本体間の隙間が完全に除去され、雨水の浸入を完全に抑止できるという優れた効果を発揮する。
【図面の簡単な説明】
【図１】本発明の実施の形態を示す正面図である。
【図２】図１のＡ−Ａ矢視図である。
【図３】図１のＢ−Ｂ矢視図である。
【図４】本発明の実施の形態に於いて扉を開いた状態を示す正面図である。
【図５】第２の実施の形態を示す要部断面図である。
【図６】第３の実施の形態を示す要部断面図である。
【図７】従来例の正面図である。
【図８】図７のＣ−Ｃ矢視図である。
【図９】図７のＤ−Ｄ矢視図である。
【図１０】図９のＥ部拡大図である。
【符号の説明】
１　　　　　筐体本体
２　　　　　開口部
４　　　　　扉
５　　　　　突条
６　　　　　蝶番
７　　　　　シール材
１１　　　　間隙
１２　　　　水滴
１４　　　　外シール材
１５　　　　内シール材
１７　　　　突条
１９　　　　段差部
【図１】
2004063785.tif 000003
【図２】
2004063785.tif 000004
【図３】
2004063785.tif 000005
【図４】
2004063785.tif 000006
【図５】
2004063785.tif 000007
【図６】
2004063785.tif 000008
【図７】
2004063785.tif 000009
【図８】
2004063785.tif 000010
【図９】
2004063785.tif 000011
【図１０】
2004063785.tif 000012